(57)【要約】【課題】筒状光伝達部材において照明光を効率良く導いて適切な照明光の出力を得るとともに、筒状光伝達部材の外側に位置する外周枠部材の意図しない発熱を防止することができる眼観察装置を得る。【解決手段】外周枠部材２０の小径内円筒面（緩嵌合内円筒面）２６と筒状光伝達部材５０の小径外円筒面（緩嵌合外円筒面）５２との間の径方向のクリアランス（φα’−φα）は、筒状光伝達部材５０の小径外円筒面（緩嵌合外円筒面）５２において照明光の全反射が生じるように、外周枠部材２０の大径内円筒面（密嵌合内円筒面）２５と筒状光伝達部材５０の大径外円筒面（密嵌合外円筒面）５１との間の径方向のクリアランス（φβ’−φβ）より大きく設定されている。【選択図】図１
2014200540.tif 000002
【特許請求の範囲】
【請求項１】
非透光性の外周枠部材と、後方から入射した照明光を前方に導く筒状光伝達部材と、網膜像を撮像する撮像部を有する撮像ユニットとを、外側から内側に順に配した眼観察装置において、
前記外周枠部材の内周面に、後方から前方に順に、密嵌合内円筒面と、緩嵌合内円筒面とを形成し、
前記筒状光伝達部材の外周面に、後方から前方に順に、前記密嵌合内円筒面内に同軸に位置する密嵌合外円筒面と、前記緩嵌合内円筒面内に同軸に位置する緩嵌合外円筒面とを形成し、
前記外周枠部材の緩嵌合内円筒面と前記筒状光伝達部材の緩嵌合外円筒面との間の径方向のクリアランスを、前記筒状光伝達部材の緩嵌合外円筒面において前記照明光の全反射が生じるように、前記外周枠部材の密嵌合内円筒面と前記筒状光伝達部材の密嵌合外円筒面との間の径方向のクリアランスより大きく設定したことを特徴とする眼観察装置。
【請求項２】
請求項１記載の眼観察装置において、
前記外周枠部材の密嵌合内円筒面と緩嵌合内円筒面は、大径内円筒面と、この大径内円筒面より小径の小径内円筒面からなり、
前記筒状光伝達部材の密嵌合外円筒面と緩嵌合外円筒面は、大径外円筒面と、この大径外円筒面より小径の小径外円筒面からなる眼観察装置。
【請求項３】
請求項２記載の眼観察装置において、
前記外周枠部材の小径内円筒面と前記筒状光伝達部材の小径外円筒面の軸方向の長さは、前記外周枠部材の大径内円筒面と前記筒状光伝達部材の大径外円筒面の軸方向の長さよりも大きく設定されている眼観察装置。
【請求項４】
請求項２または３記載の眼観察装置において、
前記筒状光伝達部材の内周面には、後方から前方に順に、大径内円筒面と、この大径内円筒面より小径の小径内円筒面とが形成されており、
前記撮像ユニットの外周面には、後方から前方に順に、前記大径内円筒面内に同軸に位置する大径外円筒面と、この大径外円筒面より小径で前記小径内円筒面内に同軸に位置する小径外円筒面とが形成されており、
前記筒状光伝達部材の大径内円筒面と前記撮像ユニットの大径外円筒面との間の径方向のクリアランスは、前記筒状光伝達部材の大径内円筒面において前記照明光の全反射が生じるように、前記筒状光伝達部材の小径内円筒面と前記撮像ユニットの小径外円筒面との間の径方向のクリアランスより大きく設定されている眼観察装置。
【請求項５】
請求項４記載の眼観察装置において、
前記筒状光伝達部材の大径内円筒面と前記撮像ユニットの大径外円筒面の軸方向の長さは、前記筒状光伝達部材の小径内円筒面と前記撮像ユニットの小径外円筒面の軸方向の長さよりも大きく設定されている眼観察装置。
【請求項６】
請求項２ないし５の全てを引用する眼観察装置において、
前記筒状光伝達部材の小径外円筒面と大径内円筒面は、軸方向位置がオーバーラップしている眼観察装置。
【請求項７】
請求項１ないし６のいずれか１項記載の眼観察装置において、
前記筒状光伝達部材の前端面に、該筒状光伝達部材を導かれた照明光を拡散させる拡散板が配置されている眼観察装置。
【請求項８】
請求項７記載の眼観察装置において、
前記拡散板の前方に、該拡散板で拡散された照明光を透過して網膜に向けて出射する透明部材が配置されている眼観察装置。
【請求項９】
請求項１ないし８のいずれか１項記載の眼観察装置において、
前記筒状光伝達部材の後端面に、前記照明光を発するライトガイドファイバの前端面が突き合わされている眼観察装置。
【請求項１０】
非透光性の外周枠部材と、後方から入射した照明光を前方に導く筒状光伝達部材と、網膜像を撮像する撮像部を有する撮像ユニットとを、外側から内側に順に配した眼観察装置において、
前記筒状光伝達部材の内周面に、後方から前方に順に、緩嵌合内円筒面と、密嵌合内円筒面とを形成し、
前記撮像ユニットの外周面に、後方から前方に順に、前記緩嵌合内円筒面内に同軸に位置する緩嵌合外円筒面と、前記密嵌合内円筒面内に同軸に位置する密嵌合外円筒面とを形成し、
前記筒状光伝達部材の緩嵌合内円筒面と前記撮像ユニットの緩嵌合外円筒面との間の径方向のクリアランスを、前記筒状光伝達部材の緩嵌合内円筒面において前記照明光の全反射が生じるように、前記筒状光伝達部材の密嵌合内円筒面と前記撮像ユニットの密嵌合外円筒面との間の径方向のクリアランスより大きく設定したことを特徴とする眼観察装置。
【請求項１１】
請求項１０記載の眼観察装置において、
前記筒状光伝達部材の緩嵌合内円筒面と密嵌合内円筒面は、大径内円筒面と、この大径内円筒面より小径の小径内円筒面からなり、
前記撮像ユニットの緩嵌合外円筒面と密嵌合外円筒面は、大径外円筒面と、この大径外円筒面より小径の小径外円筒面からなる眼観察装置。
【発明の詳細な説明】
【技術分野】
【０００１】
本発明は、眼観察装置（眼科用観察装置）に関する。
【背景技術】
【０００２】
眼観察装置は、眼底の血管、網膜及び視神経などの状態を観察することで、緑内障、網膜剥離及び眼底出血などの目の病気を調べるために用いられており、近年では、小さな子供や診察台に顎を乗せることが困難な被検者用のハンディタイプ（ポータブルタイプ）の眼観察装置の開発が進められている。
【０００３】
出願人は既に、特願２０１２−７１６８３号において、非透光性の外周枠部材と、後方から入射した照明光を前方に導く筒状光伝達部材と、網膜像を撮像する撮像部を有する撮像ユニットとを、外側から内側に順に配してなる、ハンディタイプの眼観察装置（眼底観察装置）を提案している。筒状光伝達部材を茶色系の色調の半透明部材により形成して照明光を茶色系の色調にすることで、水晶体表面における照明光の反射によるハレーションやゴーストの発生を抑制している。
【先行技術文献】
【特許文献】
【０００４】
【特許文献１】特開昭６１−２４４３２２号公報
【特許文献２】米国特許出願公開第２００８／０１６５３２２号明細書
【発明の概要】
【発明が解決しようとする課題】
【０００５】
しかしながら、本発明者のその後の研究によると、特願２０１２−７１６８３号の技術は、筒状光伝達部材の軸方向の長さの全域に亘って、筒状光伝達部材の外円筒面を外周枠部材の内円筒面にインローで嵌め込んでいる（筒状光伝達部材の外円筒面を外周枠部材の内円筒面に接触させた状態で嵌め込んでいる）ため、筒状光伝達部材を導かれる照明光が外周枠部材に吸収されて、照明光の利用効率が悪くなり、外周枠部材が発熱するという技術課題を有しており、この点において改良の余地がある。ちなみに、この技術課題は、筒状光伝達部材と撮像ユニットの間にも同様に当てはまる。
【０００６】
本発明は、以上の問題意識に基づいて完成されたものであり、筒状光伝達部材において照明光を効率良く導いて適切な照明光の出力を得るとともに、筒状光伝達部材の外側に位置する外周枠部材の意図しない発熱を防止することができる眼観察装置を得ることを目的とする。
【課題を解決するための手段】
【０００７】
本発明の眼観察装置は、その一態様では、非透光性の外周枠部材と、後方から入射した照明光を前方に導く筒状光伝達部材と、網膜像を撮像する撮像部を有する撮像ユニットとを、外側から内側に順に配した眼観察装置において、前記外周枠部材の内周面に、後方から前方に順に、密嵌合内円筒面と、緩嵌合内円筒面とを形成し、前記筒状光伝達部材の外周面に、後方から前方に順に、前記密嵌合内円筒面内に同軸に位置する密嵌合外円筒面と、前記緩嵌合内円筒面内に同軸に位置する緩嵌合外円筒面とを形成し、前記外周枠部材の緩嵌合内円筒面と前記筒状光伝達部材の緩嵌合外円筒面との間の径方向のクリアランスを、前記筒状光伝達部材の緩嵌合外円筒面において前記照明光の全反射が生じるように、前記外周枠部材の密嵌合内円筒面と前記筒状光伝達部材の密嵌合外円筒面との間の径方向のクリアランスより大きく設定したことを特徴としている。
【０００８】
前記外周枠部材の密嵌合内円筒面と緩嵌合内円筒面は、大径内円筒面と、この大径内円筒面より小径の小径内円筒面から構成し、前記筒状光伝達部材の密嵌合外円筒面と緩嵌合外円筒面は、大径外円筒面と、この大径外円筒面より小径の小径外円筒面から構成することができる。
【０００９】
前記外周枠部材の小径内円筒面と前記筒状光伝達部材の小径外円筒面の軸方向の長さは、前記外周枠部材の大径内円筒面と前記筒状光伝達部材の大径外円筒面の軸方向の長さよりも大きく設定されていることが好ましい。
【００１０】
前記筒状光伝達部材の内周面には、後方から前方に順に、大径内円筒面と、この大径内円筒面より小径の小径内円筒面とが形成されており、前記撮像ユニットの外周面には、後方から前方に順に、前記大径内円筒面内に同軸に位置する大径外円筒面と、この大径外円筒面より小径で前記小径内円筒面内に同軸に位置する小径外円筒面とが形成されており、前記筒状光伝達部材の大径内円筒面と前記撮像ユニットの大径外円筒面との間の径方向のクリアランスは、前記筒状光伝達部材の大径内円筒面において前記照明光の全反射が生じるように、前記筒状光伝達部材の小径内円筒面と前記撮像ユニットの小径外円筒面との間の径方向のクリアランスより大きく設定されていることが好ましい。
【００１１】
前記筒状光伝達部材の大径内円筒面と前記撮像ユニットの大径外円筒面の軸方向の長さは、前記筒状光伝達部材の小径内円筒面と前記撮像ユニットの小径外円筒面の軸方向の長さよりも大きく設定されていることが好ましい。
【００１２】
前記筒状光伝達部材の小径外円筒面と大径内円筒面は、軸方向位置がオーバーラップしていることが好ましい。
【００１３】
前記筒状光伝達部材の前端面に、該筒状光伝達部材を導かれた照明光を拡散させる拡散板が配置されていてもよい。
【００１４】
前記拡散板の前方に、該拡散板で拡散された照明光を透過して網膜に向けて出射する透明部材が配置されていてもよい。
【００１５】
前記筒状光伝達部材の後端面に、前記照明光を発するライトガイドファイバの前端面が突き合わされていてもよい。
【００１６】
本発明の眼観察装置は、別の態様では、非透光性の外周枠部材と、後方から入射した照明光を前方に導く筒状光伝達部材と、網膜像を撮像する撮像部を有する撮像ユニットとを、外側から内側に順に配した眼観察装置において、前記筒状光伝達部材の内周面に、後方から前方に順に、緩嵌合内円筒面と、密嵌合内円筒面とを形成し、前記撮像ユニットの外周面に、後方から前方に順に、前記緩嵌合内円筒面内に同軸に位置する緩嵌合外円筒面と、前記密嵌合内円筒面内に同軸に位置する密嵌合外円筒面とを形成し、前記筒状光伝達部材の緩嵌合内円筒面と前記撮像ユニットの緩嵌合外円筒面との間の径方向のクリアランスを、前記筒状光伝達部材の緩嵌合内円筒面において前記照明光の全反射が生じるように、前記筒状光伝達部材の密嵌合内円筒面と前記撮像ユニットの密嵌合外円筒面との間の径方向のクリアランスより大きく設定したことを特徴としている。
【００１７】
前記筒状光伝達部材の緩嵌合内円筒面と密嵌合内円筒面は、大径内円筒面と、この大径内円筒面より小径の小径内円筒面から構成し、前記撮像ユニットの緩嵌合外円筒面と密嵌合外円筒面は、大径外円筒面と、この大径外円筒面より小径の小径外円筒面から構成することができる。
【発明の効果】
【００１８】
本発明によれば、筒状光伝達部材において照明光を効率良く導いて適切な照明光の出力を得るとともに、筒状光伝達部材の外側に位置する外周枠部材の意図しない発熱を防止することができる眼観察装置が得られる。
【図面の簡単な説明】
【００１９】
【図１】本発明による眼観察装置の先端側の構成を示す上半断面図である。
【図２】本発明による眼観察装置を前方から見た正面図である。
【図３】本発明による眼観察装置の別の実施形態を示す図１に対応する上半断面図である。
【図４】本発明による眼観察装置のさらに別の実施形態を示す図１に対応する上半断面図である。
【発明を実施するための形態】
【００２０】
以下、図１、図２を参照して、本発明による眼観察装置（眼科用観察装置）１００について説明する。本実施形態では、小さな子供や身動きのとれない被検者用のハンディタイプ（ポータブルタイプ）の眼観察装置１００を例示して説明する。本明細書における前後方向は図中に示した矢線の方向を基準とする。
【００２１】
眼観察装置１００は、操作者（例えば医師）によって保持される細長円筒形状の保持管１０を備えている。保持管１０は、プラスチック製もしくは金属製の硬性管、または操作者によって曲げられたときにその形状を維持することができる半硬性管によって構成されている。保持管１０は、外径が例えば１〜２ｃｍ程度、長さが例えば５〜１５ｃｍ程度に設定されており、小型でハンディに取り扱うことができる。
【００２２】
保持管１０の前端部には、例えばステンレス材料からなる非透光性の外周枠部材２０の後端部が嵌め込まれている。保持管１０の前端部には内方フランジ部１１が形成されており、この内方フランジ部１１に、Ｏリング１５を保持するＯリング保持溝１２が形成されている。外周枠部材２０は、その外周面に、後方から前方に順に、大径外円筒部２１と、この大径外円筒部２１より小径の小径外円筒部２２とを有している。内方フランジ部１１に大径外円筒部２１と小径外円筒部２２の段差部２３を軸方向から当て付けることで、小径外円筒部２２が保持管１０から前方に突出した状態で保持管１０と外周枠部材２０の軸方向の相対位置が規定され、Ｏリング保持溝１２に保持されたＯリング１５を小径外円筒部２２に径方向から弾接させることで、保持管１０と外周枠部材２０（眼観察装置１００）の水密性が確保される。
【００２３】
外周枠部材２０の後端部には、保持管１０の内側に軸方向に亘って嵌め込まれた保持管内枠部材３０が連結されている。外周枠部材２０の後端部には径方向貫通孔２０ａが形成され、保持管内枠部材３０の前端部には径方向貫通孔３１が形成され、径方向貫通孔２０ａと径方向貫通孔３１を重ね合わせた状態でビス３２を挿通することで、外周枠部材２０と保持管内枠部材３０が連結される。径方向貫通孔２０ａ、径方向貫通孔３１及びビス３２は、周方向に９０°間隔で４セット設けられている。
【００２４】
外周枠部材２０の内側には、後方から前方に順に、ライトガイドファイバ４０、筒状光伝達部材５０、拡散板６０及び透明部材７０が嵌め込まれている。
【００２５】
ライトガイドファイバ４０は、ファイバ保持枠４１に保持された状態で、周方向に９０°間隔で４本設けられており（図２）、後方に位置する図示しない発光源（ランプ、またはＬＥＤ）が発した照明光を前方に導く。ファイバ保持枠４１には径方向貫通孔４２が形成されており、この径方向貫通孔４２にビス４３を挿通することで、ライトガイドファイバ４０とファイバ保持枠４１が固定される。また、ファイバ保持枠４１の径方向貫通孔４２よりやや前方には、外周枠部材２０の径方向貫通孔２０ａと保持管内枠部材３０の径方向貫通孔３１に挿通されたビス３２がねじ込まれる径方向溝（径方向孔）４４が形成されている。
【００２６】
筒状光伝達部材５０は、その後端面（入射端面）にライトガイドファイバ４０とファイバ保持枠４１の前端面（出射端面）が突き合わされており、ライトガイドファイバ４０とファイバ保持枠４１の軸方向の位置を規定している。筒状光伝達部材５０は、ライトガイドファイバ４０の前端面から入射した照明光を反射させながら前方に導く。
【００２７】
拡散板６０は、例えば表面に無数の微小な凹凸が形成されたドーナツ状の透明板からなり、筒状光伝達部材５０の前端面（出射端面）から入射した照明光を拡散させる。
【００２８】
透明部材７０は、拡散板６０で拡散された照明光を透過して網膜に向けて出射する筒状部材からなる。透明部材７０の後端部には外方フランジ部７１が形成されており、外周枠部材２０の前端部には内方フランジ部２４が形成されており、外方フランジ部７１と内方フランジ部２４を軸方向に当て付けることで、透明部材７０が外周枠部材２０の先端部に抜け止め支持される。
【００２９】
筒状光伝達部材５０、拡散板６０及び透明部材７０の内側には、撮像ユニット８０が嵌め込まれている。撮像ユニット８０は、前方から後方に順に、被写体である網膜像を取り込む対物レンズユニット８０ａと、この対物レンズユニット８０ａを介して取り込まれた網膜像を撮像するＣＣＤユニット（撮像部）８０ｂとを備えている。ＣＣＤユニット８０ｂで撮像された網膜像は、信号ケーブル８０ｃを介して伝送される。
【００３０】
本実施形態の眼観察装置１００は、外周枠部材２０と筒状光伝達部材５０の嵌込支持構造に一つの特徴を有している。すなわち、外周枠部材２０の内周面には、後方から前方に順に、大径内円筒面（密嵌合内円筒面）２５と、この大径内円筒面２５より小径の小径内円筒面（緩嵌合内円筒面）２６とが形成されている。一方、筒状光伝達部材５０の外周面には、後方から前方に順に、大径内円筒面２５内に同軸に位置する大径外円筒面（密嵌合外円筒面）５１と、この大径外円筒面５１より小径で小径内円筒面２６内に同軸に位置する小径外円筒面（緩嵌合外円筒面）５２とが形成されている。そして、外周枠部材２０の小径内円筒面２６と筒状光伝達部材５０の小径外円筒面５２との間の径方向のクリアランスは、外周枠部材２０の大径内円筒面２５と筒状光伝達部材５０の大径外円筒面５１との間の径方向のクリアランスより大きく設定されている。つまり、外周枠部材２０の小径内円筒面２６の径をφα’、筒状光伝達部材５０の小径外円筒面５２の径をφα、外周枠部材２０の大径内円筒面２５の径をφβ’、筒状光伝達部材５０の大径外円筒面５１の径をφβとしたときに、以下の式（１）を満足している。
（１）φα’−φα＞φβ’−φβ
【００３１】
ここで、φβ’−φβは、限りなくゼロに近い正の値をとるように設定されており（外周枠部材２０の大径内円筒面２５と筒状光伝達部材５０の大径外円筒面５１が最小クリアランスで嵌まっており）、外周枠部材２０と筒状光伝達部材５０の同軸性が保証されている。一方、φα’−φαは、例えば０．０２５ｍｍ〜２ｍｍの範囲となるように設定されており、筒状光伝達部材５０の小径外円筒面５２において照明光の全反射が生じるようになっている。このため、筒状光伝達部材５０を導かれる照明光が外周枠部材２０の小径内円筒面２６に吸収されることがなく、筒状光伝達部材５０において照明光を効率良く導いて適切な照明光の出力を得るとともに、外周枠部材２０の意図しない発熱を防止することができる。
【００３２】
本実施形態の眼観察装置１００は、筒状光伝達部材５０と撮像ユニット８０の嵌込支持構造にもう一つの特徴を有している。すなわち、筒状光伝達部材５０の内周面には、後方から前方に順に、大径内円筒面（緩嵌合内円筒面）５３と、この大径内円筒面５３より小径の小径内円筒面（密嵌合内円筒面）５４とが形成されている。一方、撮像ユニット８０の外周面には、後方から前方に順に、大径内円筒面５３内に同軸に位置する大径外円筒面（緩嵌合外円筒面）８１と、この大径外円筒面８１より小径で小径内円筒面５４内に同軸に位置する小径外円筒面（密嵌合外円筒面）８２とが形成されている。そして、筒状光伝達部材５０の大径内円筒面５３と撮像ユニット８０の大径外円筒面８１との間の径方向のクリアランスは、筒状光伝達部材５０の小径内円筒面５４と撮像ユニット８０の小径外円筒面８２との間の径方向のクリアランスより大きく設定されている。つまり、筒状光伝達部材５０の大径内円筒面５３の径をφγ’、撮像ユニット８０の大径外円筒面８１の径をφγ、筒状光伝達部材５０の小径内円筒面５４の径をφδ’、撮像ユニット８０の小径外円筒面８２の径をφδとしたときに、以下の式（２）を満足している。
（２）φγ’−φγ＞φδ’−φδ
【００３３】
ここで、φδ’−φδは、限りなくゼロに近い正の値をとるように設定されており（筒状光伝達部材５０の小径内円筒面５４と撮像ユニット８０の小径外円筒面８２が最小クリアランスで嵌まっており）、筒状光伝達部材５０と撮像ユニット８０の同軸性が保証されている。一方、φγ’−φγは、例えば０．０２５ｍｍ〜２ｍｍの範囲となるように設定されており、筒状光伝達部材５０の大径内円筒面５３において照明光の全反射が生じるようになっている。このため、筒状光伝達部材５０を導かれる照明光が撮像ユニット８０の大径外円筒面８１に吸収されることがなく、筒状光伝達部材５０において照明光を効率良く導いて適切な照明光の出力を得るとともに、撮像ユニット８０の意図しない発熱を防止することができる。
【００３４】
さらに本実施形態の眼観察装置１００は、外周枠部材２０の小径内円筒面２６と筒状光伝達部材５０の小径外円筒面５２の軸方向の長さが、外周枠部材２０の大径内円筒面２５と筒状光伝達部材５０の大径外円筒面５１の軸方向の長さよりも大きく設定されている。また、筒状光伝達部材５０の大径内円筒面５３と撮像ユニット８０の大径外円筒面８１の軸方向の長さが、筒状光伝達部材５０の小径内円筒面５４と撮像ユニット８０の小径外円筒面８２の軸方向の長さよりも大きく設定されている。さらに、筒状光伝達部材５０の小径外円筒面５２と大径内円筒面５３の軸方向位置がオーバーラップしている。これにより、筒状光伝達部材５０による照明光の全反射区間を大幅に増大して、より一層、筒状光伝達部材５０において照明光を効率良く導いて適切な照明光の出力を得るとともに、筒状光伝達部材５０の内外に位置する外周枠部材２０と撮像ユニット８０の意図しない発熱を防止することができる。
【００３５】
以上のように構成された眼観察装置１００は次のようにして組み立てる。まず、下向きに配置した外周枠部材２０の内周面に、透明部材７０と拡散板６０をこの順番で挿入する。すると、透明部材７０の外方フランジ部７１が外周枠部材２０の内方フランジ部２４に軸方向に当て付けられて、透明部材７０と拡散板６０が外周枠部材２０の先端部に抜け止め支持される。続いて、筒状光伝達部材５０の内周面に撮像ユニット８０を嵌込支持し、この筒状光伝達部材５０と撮像ユニット８０の結合体を外周枠部材２０の内周面に挿入する。続いて、筒状光伝達部材５０の後端面に、ファイバ保持枠４１に保持されたライトガイドファイバ４０の前端面を突き合わせるとともに、外周枠部材２０の後端部の径方向貫通孔２０ａと保持管内枠部材３０の前端部の径方向貫通孔３１を重ね合わせた状態でビス３２を挿通し、このビス３２をファイバ保持枠４１の径方向溝（径方向孔）４４にねじ込む。すると、外周枠部材２０、保持管内枠部材３０、ライトガイドファイバ４０、筒状光伝達部材５０、拡散板６０、透明部材７０及び撮像ユニット８０の結合体が完成する。最後に、この結合体を、保持筒１０の内周面に挿入する。これにより、保持筒１０の内方フランジ部１１と外周枠部材２０の段差部２３が軸方向から当て付けられて、保持管１０と外周枠部材２０の軸方向の相対位置が規定され、保持管１０のＯリング保持溝１２に保持されたＯリング１５が外周枠部材２０の小径外円筒部２２に径方向から弾接して、保持管１０と外周枠部材２０（眼観察装置１００）の水密性が確保される。
【００３６】
眼観察装置１００を使用するときは、眼観察装置１００の前端面を被検者の目にあてがい、図示しない発光源（ランプ、またはＬＥＤ）によって照明光を発する。この照明光は、ライトガイドファイバ４０、筒状光伝達部材５０、拡散板６０及び透明部材７０を通って出射され、被検者の角膜と水晶体を透過して網膜に到達する。網膜で反射した照明光は、対物レンズユニット８０ａで網膜像として取り込まれ、ＣＣＤユニット８０ｂで撮像されて網膜像となり、信号ケーブル８０ｃを介して伝送される。
【００３７】
図３は、本発明による眼観察装置１００の別の実施形態を示している。この実施形態では、外周枠部材２０の内周面に、図１の実施形態の大径内円筒面２５と小径内円筒面２６に代えて、後方から前方に亘って内径が一定の定径内円筒面２７が形成されている。この定径内円筒面２７は、特許請求の範囲における「密嵌合内円筒面」と「緩嵌合内円筒面」の双方に相当する構成要素である。外周枠部材２０の定径内円筒面２７と筒状光伝達部材５０の小径外円筒面５２との間の径方向のクリアランスは、外周枠部材２０の定径内円筒面２７と筒状光伝達部材５０の大径外円筒面５１との間の径方向のクリアランスより大きく設定されている。つまり、定径内円筒面２７の径をφεとしたときに、以下の式（３）を満足しており、図１の実施形態と同様の作用効果を得ることができる。
（３）φε−φα＞φε−φβ
【００３８】
図４は、本発明による眼観察装置１００のさらに別の実施形態を示している。この実施形態では、外周枠部材２０の内周面に、図１の実施形態の小径内円筒面２６に代えて、後方から前方に向かって徐々に縮径する縮径内円筒面（緩嵌合内円筒面）２８が形成されている。外周枠部材２０の縮径内円筒面２８と筒状光伝達部材５０の小径外円筒面５２との間の径方向のクリアランスは、外周枠部材２０の大径内円筒面２５と筒状光伝達部材５０の大径外円筒面５１との間の径方向のクリアランスより大きく設定されている。つまり、前後方向の任意の位置における縮径内円筒面２８の径をφα”としたときに、以下の式（４）を満足しており、図１及び図３の実施形態と同様の作用効果を得ることができる。
（４）φα”−φα＞φβ’−φβ
【００３９】
以上の実施形態では、小さな子供や身動きのとれない被検者用のハンディタイプ（ポータブルタイプ）の眼観察装置１００を例示して説明したが、本発明は据え置き型の眼観察装置にも同様に適用することができる。
【００４０】
以上の実施形態では、筒状光伝達部材５０の後端面（入射端面）にライトガイドファイバ４０の前端面（出射端面）を突き合わせた場合を例示して説明したが、筒状光伝達部材５０の後端面とライトガイドファイバ４０の前端面の間に隙間を設ける態様も可能である。
【符号の説明】
【００４１】
１００  眼観察装置（眼科用観察装置）
１０  保持管
１１  内方フランジ
１２  Ｏリング保持溝
１５  Ｏリング
２０  外周枠部材
２０ａ  径方向貫通孔
２１  大径外円筒部
２２  小径外円筒部
２３  段差部
２４  内方フランジ部
２５  大径内円筒面（密嵌合内円筒面）
２６  小径内円筒面（緩嵌合内円筒面）
２７  定径内円筒面（密嵌合内円筒面、緩嵌合内円筒面）
２８  縮径内円筒面（緩嵌合内円筒面）
３０  保持管内枠部材
３１  径方向貫通孔
３２  ビス
４０  ライトガイドファイバ
４１  ファイバ保持枠
４２  径方向貫通孔
４３  ビス
４４  径方向溝（径方向孔）
５０  筒状光伝達部材
５１  大径外円筒面（密嵌合外円筒面）
５２  小径外円筒面（緩嵌合外円筒面）
５３  大径内円筒面（緩嵌合内円筒面）
５４  小径内円筒面（密嵌合内円筒面）
６０  拡散板
７０  透明部材
７１  外方フランジ部
８０  撮像ユニット
８０ａ  対物レンズユニット
８０ｂ  ＣＣＤユニット（撮像部）
８１  大径外円筒面（緩嵌合外円筒面）
８２  小径外円筒面（密嵌合外円筒面）
【図１】
2014200540.tif 000003
【図２】
2014200540.tif 000004
【図３】
2014200540.tif 000005
【図４】
2014200540.tif 000006